(57)【要約】【課題】デザイン性を向上しつつ、光漏れなく被清掃面への照射効率を上げること。【解決手段】電気掃除機用吸込具２は、吸込口を有するケースと、ケース内に配置され、被清掃面を照射するための光源１８と、光源１８の上方を覆うように配置されている遮光部３８と、を備え、ケースにおける遮光部３８の上方の外郭は、遮光部３８よりも光を透過する部材により形成されている。最も光が強く、光漏れが発生し易い光源１８の周辺に遮光部３８を配設することにより、吸込具の顔となるケースの上部の配色に関わらず、ケースの上部からの光漏れを抑制可能となり、被清掃面への照射効率が上がると共に、ケースの上部の配色の自由度が高まり、デザイン性を向上出来る。【選択図】図１０
2018196674.tif 000002
【特許請求の範囲】
【請求項１】
吸込口を有するケースと、
前記ケース内に配置され、被清掃面を照射するための光源と、
前記光源の上方を覆うように配置されている遮光部と、を備え、
前記ケースにおける前記遮光部の上方の外郭は、前記遮光部よりも光を透過する部材により形成されている電気掃除機用吸込具。
【請求項２】
前記光源の光の照射方向に透光性の透明カバーを備え、
前記遮光部は、前記光源と前記透明カバーとの上方を覆うように配置されている、請求項１に記載の電気掃除機用吸込具。
【請求項３】
前記光源からの光を入射する入射境界面と、前記入射された光を反射する反射鏡界面と、前記入射された光を床面に照射するための透過境界面とを有する導光板を備え、
前記遮光部は、前記光源と前記導光板との上方を覆うように配置されている、請求項１〜２のいずれか１項に記載の電気掃除機用吸込具。
【請求項４】
前記遮光部は、厚みが２ｍｍ以下の薄板かつ光を透過し難い暗色系の配色で形成されている、請求項１〜３のいずれか１項に記載の電気掃除機用吸込具。
【請求項５】
請求項１〜４のいずれか１項に記載の電気掃除機用吸込具を備える電気掃除機。
【発明の詳細な説明】
【技術分野】
【０００１】
本発明は、照明を有する電気掃除機用吸込具及びそれを用いた電気掃除機に関するものである。
【背景技術】
【０００２】
従来、この種の電気掃除機用吸込具は、吸込口を備えるケース及び、光を出力する照明ユニットを備える。照明ユニットは、ケースの前方に存在する被清掃面に光を照射することにより、電気掃除機の使用者がゴミを見つけ易い環境を提供する役割を持つ。照明ユニットに関する知られた形態は、ケース内に配設されたチップＬＥＤを光源とする光を導光板及び透明カバーを通して被清掃面に光を照射するものである。ケースは、主に、ケースの上方部分の外郭を形成する上部ケース、ケースの下方部分の外郭を形成する下部ケースとで構成され、上部ケース、下部ケース共に、照明ユニットを覆う部分は、光漏れを考慮し、光の透過性が低い色で形成されていた（例えば、特許文献１参照）。
【先行技術文献】
【特許文献】
【０００３】
【特許文献１】特開２０１６−２８６７０号公報
【発明の概要】
【発明が解決しようとする課題】
【０００４】
しかしながら、従来の構成では、照明ユニットを覆う部分の上部ケースの配色は、光の透過性が低いことを最優先に決定する必要があり、吸込具の顔となる上部ケースの配色が限定され、配色によるデザイン性向上の自由度が低いという課題を有していた。
【０００５】
本発明は、従来の課題を解決するもので、照射性能とデザイン性を兼ね備えた電気掃除機用吸込具及びそれを用いた電気掃除機を提供することを目的とする。
【課題を解決するための手段】
【０００６】
従来の課題を解決するために、本発明の電気掃除機用吸込具は、吸込口を有するケースと、ケース内に配置され、被清掃面を照射するための光源と、光源の上方を覆うように配置されている遮光部と、を備え、ケースにおける遮光部の上方の外郭は、遮光部よりも光を透過する部材により形成されている。
【発明の効果】
【０００７】
最も光が強く、光漏れが発生し易い光源の周辺に遮光部を配設することにより、吸込具の顔となる上部ケースの配色に関わらず、上部ケースからの光漏れを抑制可能となり、被清掃面への照射効率が上がると共に、上部ケースの配色の自由度が高まり、デザイン性を向上出来る。これにより、照射性能とデザイン性を兼ね備えた電気掃除機用吸込具を提供することが出来る。
【図面の簡単な説明】
【０００８】
【図１】本発明の第１の実施例の形態における電気掃除機の外観斜視図
【図２】同電気掃除機用吸込具の外観斜視図
【図３】同電気掃除機用吸込具の平面図
【図４】同電気掃除機用吸込具の分解斜視図
【図５】同電気掃除機用吸込具の上部ケースを取り外した右後方斜視図
【図６】同電気掃除機用吸込具の上部ケースを取り外した左後方斜視図
【図７】図３のＡ−Ａ断面図
【図８】図７の要部拡大図
【図９】図３のＢ−Ｂ断面図
【図１０】図３のＣ−Ｃ断面図
【図１１】図３のＤ−Ｄ断面図
【図１２】図３のＥ−Ｅ断面図
【図１３】図３のＦ−Ｆ断面図
【発明を実施するための形態】
【０００９】
本発明の実施の形態に係る電気掃除機用吸込具は、吸込口を有するケースと、ケース内に配置され、被清掃面を照射するための光源と、光源の上方を覆うように配置されている遮光部と、を備え、ケースにおける遮光部の上方の外郭は、遮光部よりも光を透過する部材により形成されている。最も光が強く、光漏れが発生し易い光源の周辺に遮光部を配設することにより、吸込具の顔となる上部ケースの配色に関わらず、上部ケースからの光漏れを抑制可能となり、被清掃面への照射効率が上がると共に、上部ケースの配色の自由度が高まり、デザイン性を向上出来る。
【００１０】
本発明の実施の形態に係る電気掃除機用吸込具は、光源の光の照射方向に透光性の透明カバーを備え、遮光部は、光源と透明カバーとの上方を覆うように配置されても良い。これにより、透明カバーを配設することで光源の保護あるいは、光の拡散や集光のレンズ効果により被掃除面への照射効率が上がると共に、透明カバーから上部ケース側に拡散されてしまう光に対して遮光部を配設することで吸込具の顔となる上部ケースの配色に関わらず、上部ケースからの光漏れを抑制可能となり、被清掃面への照射効率が上がると共に、上部ケースの配色の自由度が高まり、デザイン性を向上出来る。
【００１１】
本発明の実施の形態に係る電気掃除機用吸込具は、光源からの光を入射する入射境界面と、入射された光を反射する反射鏡界面と、入射された光を床面に照射するための透過境界面とを有する導光板を備え、遮光部は、光源と導光板との上方を覆うように配置されても良い。これにより、導光板を配設することで被清掃面への照射が均一照射となり照射効率が上がると共に、導光板から上部ケース側に拡散されてしまう光に対して遮光部を配設することで吸込具の顔となる上部ケースの配色に関わらず、上部ケースからの光漏れを抑制可能となり、被清掃面への照射効率が上がると共に、上部ケースの配色の自由度が高まり、デザイン性を向上出来る。
【００１２】
本発明の実施の形態に係る電気掃除機用吸込具は、遮光部が、厚みが２ｍｍ以下の薄板かつ光を透過し難い暗色系の配色で形成されても良い。これにより、限られたスペース内で遮光部を光が透過し難い薄板で形成することで、照明ユニットの配置の自由度が高まり、被清掃面への照射効率が上がると共に、照明ユニットを小スペースで配設可能となり、吸込具をスッキリと小型な外観とすることが可能となり、デザイン性を向上出来る。
【００１３】
本発明の実施の形態に係る電気掃除機は、上記いずれかの電気掃除機用吸込具を備える。これにより、照明性能とデザイン性を兼ね備えることが出来る。
【００１４】
以下、本発明の実施の形態について、図面を参照しながら説明する。なお、この実施の形態によって本発明が限定されるものではない。
【００１５】
（実施の形態１）
図１に示すように、電気掃除機は、主として、吸引風を発生させる電動送風機を内蔵する掃除機本体１と、被清掃面の塵埃を吸引する電気掃除機用吸込具２と、一端が掃除機本体１に着脱自在に接続されるホース３と、一端がホース３の他端に着脱自在に接続され、
他端が電気掃除機用吸込具２に着脱自在に接続される延長管４とから構成されている。電気掃除機用吸込具２が被清掃面から吸引した塵埃は、延長管４、ホース３の内部を通過して掃除機本体１内の集塵室に蓄積される。
【００１６】
図２〜３に示すように、電気掃除機用吸込具２は、主として、下面に塵埃を吸引する吸込口を有する吸込具本体５と、後部に回動自在に取付けられた接続管を有した吸込具本体の後方中央部に着脱自在に接続される補助吸込具６とから構成されている。
【００１７】
図４〜１３に示すように、吸込具本体５は、上部ケース７と下部ケース８とからなるケースを有する。上部ケース７と下部ケース８の間には、緩衝部材としてのバンパー９が挟持されている。また、吸込具本体５のケースの下面に位置する吸込口には、被清掃面の塵埃を掻きあげる回転ブラシ１０と、回転ブラシ１０を回転駆動する電動機１１と、後述の光源と電動機１１に電力を供給する回路基板Ａ１２と、回転ブラシ１０と電動機１１とを連結するベルト１３とを有している。
【００１８】
吸込具本体５の前部には、吸込具本体５の前方の被清掃面を照射する照明ユニットを備えている。照明ユニットは、導光板１６とチップＬＥＤ１８と透明カバーＡ２０と反射板２１とを有する。導光板１６は、吸込具本体５の幅方向に沿うように配設された細長い形状で背面にプリズムが形成された反射境界面１４と正面に透過境界面１５を有している。本実施例では、光源としてチップＬＥＤ１８を用いている。チップＬＥＤ１８は、導光板１６の長手方向の一端に形成された入射境界面１７と対向するように配設された光源基板に実装されている。透明カバーＡ２０は、導光板１６の透過境界面１５と対向してレンズ機能を兼ね備えた透過部１９を有している。反射板２１は、導光板１６の反射境界面１４と対向して配置されている。
【００１９】
導光板１６は、反射板２１により反射境界面１４及び上面、下面を覆われ、上面と下面に配設した複数の突起２２が反射板２１の上部と下部に配設した複数の収納部２３に収まることで嵌め込み支持され、導光板１６と反射板２１が結合される。また、本実施例では、光源を一つとする片側入光としており、導光板１６の入射境界面１７と反対側の通光境界面２４の外側は、導光板１６の長手方向への光の抜けを抑制するため、反射板２１で形成した通光防止壁２５で覆っている。
【００２０】
透明カバーＡ２０は、チップＬＥＤ１８の照射方向に配置され、透光性を有している。透明カバーＡ２０には、透過部１９の下端から下方に突出する複数の脚２６、透過部１９の上方から後方に突出する複数の腕２７、隣り合う腕２７の間に形成される複数の切り欠き２８、透過部１９の背面の上部と下部から突き出て長手方向の全体に渡って形成される上側支持部２９と下側支持部３０が配設されている。結合された導光板１６と反射板２１は、上側支持部２９と下側支持部３０とで長手方向に渡って支持されるよう透明カバーＡ２０の背面に配置されている。反射板２１の上部の複数の各収納部２３は、透明カバーＡ２０の複数の切り欠きに嵌め込まれて位置決めされ、光学素子群として結合されている。結合された光学素子群は、反射板２１の下面の各収納部２３が下部ケース８の要素嵌合凹部Ａ３１に嵌め込まれ、透明カバーＡ２０の各脚２６が下部ケース８及びバンパー９により形成される要素嵌合凹部Ｂ３２に嵌め込まれ、透明カバーＡ２０の各腕２７及び反射板２１の背面から突き出る複数のスペーサー３３が下部ケース８のリブ３４で支持され、下部ケース８とバンパー９に固定されている。
【００２１】
補助吸込具６の前部には、補助吸込具６の前方の被清掃面を照射する照射部が備えられている。照射部は、砲弾型ＬＥＤ３５と砲弾型ＬＥＤ３５の外側を覆う透明カバーＢ３６とから構成され、砲弾型ＬＥＤ３５に電力を供給する回路基板Ｂ３７を有している。
【００２２】
本実施例の吸込具本体５では、例えば、チップＬＥＤ１８として、約６０ｍＡの順電流が供給される時の光束が約４３．１ｌｍとなる部材を選定している。透明カバーＡ２０の腕２７の外側には、そのような光源から発光された光に対して光を透過させないような遮光部として、厚み１８８μｍの黒色ＰＥＴ（ポリエチレンテレフタレート）シートを折り曲げ加工して腕２７の形に沿うように形成した遮光板３８を配設している。遮光板３８は、透明カバーＡ２０の腕２７の外側全体及び光源であるチップＬＥＤ１８の上方及び前方を覆っている。
【００２３】
遮光板３８の光源側の一端は、バンパー９からなるチップＬＥＤ１８の後方に形成した遮光壁３９と、光源基板の外側に形成した支持壁４０を透明カバーＡ２０の腕２７の外郭に沿うよう形成して支持されている。遮光板３８の光源と反対側の他端は、導光板１６と反射板２１の端を囲むバンパー９からなる支持遮光壁４１を透明カバーＡ２０の腕２７の外郭に沿うよう形成して支持されている。このように、導光板１６の両端周辺を極力閉鎖的に遮光板３８とバンパー９で囲み込んでいる。また、遮光板３８は、後側折り返し部４２を透明カバーＡ２０の腕２７の先端及び反射板２１のスペーサー３３と下部ケース８のリブ３４との間に挟み込み、両端の前側折り返し部４３をバンパー９の溝４４に入れ込み仮固定した後、上部ケース７の前壁４５及び上壁４６の支持リブ４７で前方と上方を挟み込み支持されている。上部ケース７は、材質がＰＰ（ポリプロピレン）の２色成形で１次成形部４８、２次成形部４９共にデザイン性を考慮して光が透過し易い白系の配色かつ照明ユニット周辺の肉厚０．８〜２．８ｍｍと比較的薄肉で形成されている。下部ケース８とバンパー９は、材質がＰＰ（ポリプロピレン）で光が透過し難い濃色グレー系の配色で成形されている。
【００２４】
以上のように構成された電気掃除機用吸込具及びそれを用いた電機掃除機具について、以下その動作、作用を説明する。
【００２５】
まず、電気掃除機用吸込具２は、補助吸込具６を吸込具本体５にセットした状態で掃除機本体１にホース３、延長管４を介して接続されることで、電気掃除機として使用することが出来る。掃除機本体１から供給される電力は、電動機１１へ供給され、電動機１１が回転することで回転ブラシ１０が回転し、回転ブラシ１０で集塵された塵埃は、掃除機本体１に内蔵された吸引モーターにより発生した負圧により、延長管４、ホース３を介して掃除機本体１に集塵される。
【００２６】
吸込具本体５を用いて掃除する際、掃除機本体１から供給される電力によりチップＬＥＤ１８が点灯し、チップＬＥＤ１８から入射境界面１７を透過して導光板１６に入光した光は、吸込具本体５の幅方向に沿うように配設された導光板１６の全体に透過する。また、反射境界面１４のプリズム及び反射板２１で反射した光は、導光板１６の透過境界面１５、透明カバーＡ２０のレンズ機能を兼ねた備えた透過部１９を透過した後、被清掃面に幅広く均一に照射されるため、被清掃面を照らしてゴミを見つけながら効率的に掃除することが出来る。
【００２７】
家具間等の狭く暗い場所を掃除する際には、補助吸込具６の着脱手段と連結された操作ペダル５０が使用者の足などで踏み込まれることにより、補助吸込具６は吸込具本体５から分離される。これにより、掃除機本体１から供給される電力により砲弾型ＬＥＤ３５が点灯し、被清掃面を照らしてゴミを見つけながら効率的に掃除することが出来る。
【００２８】
ここで、照明ユニットにおける被清掃面への照射性能を上げようとすると、外部への光漏れが発生し易くなる。例えば、チップＬＥＤ１８などの光源に流す電流の増加や、導光板１６の両端から両側入光することで光源の数を増加することにより光源から照射される光の輝度を大きくすると、照明ユニット周辺の上部ケース７の前壁４５や上壁４６から外
部に光漏れが発生し易くなってしまう。また、透明カバーＡ２０や導光板１６を配置することによっても、チップＬＥＤ１８などの光源や導光板１６などの発光体から直接的、あるいは、透明カバーＡ２０の腕などを介して間接的に、照明ユニット周辺の上部ケース７の前壁４５や上壁４６から外部に光漏れが発生し易くなってしまう。また、チップＬＥＤ１８などの光源、導光板１６、透明カバーＡ２０を上部ケースから例えば５ｍｍ以内などに近接配置して小型化する場合にも、外部に光漏れが発生し易くなってしまう。本実施の形態では、遮光板３８によって、照明ユニットの周辺、特に光源などの発光体の上方を覆うように遮光することにより、外部への光漏れを低減することができる。これにより、上部ケース７の一部、すなわち、ケースにおける前記遮光部の上方の外郭を、遮光板３８よりも光を透過しやすい部材により形成することができる。そのため、上部ケース７の配色の自由度が高まり、デザイン性を向上できる。本実施の形態では例えば、上部ケース７を、シンプルかつ清潔なイメージを出すというデザインコンセプトから全体を白系の配色でデザインすることが出来る。また、光漏れによる照射ロスを低減し、被清掃面への照射効率を上げることが出来る。
【００２９】
また、遮光板３８を、スペースを考慮して２ｍｍ以下程度の薄板にし、黒色などの暗色系の配色で光漏れを抑制するようにすれば、遮光部により占領される空間を少なくすることが可能となる。また、照明ユニットの配置の自由度が高まり、被清掃面への照射効率が上がると共に、照明ユニットを小スペースで配設可能となり、吸込具本体５をスッキリと小型な外観とすることが可能となり、デザイン性を向上出来る。
【００３０】
ここで、遮光する範囲を光が外部に透過する全透過面に対してではなく、少なくとも通常使用状態で使用者が見える上部ケース７の上壁４６などの可視透過面に対してのみ限定的に行うことで、使用者から見えると気になる範囲のみ光漏れを抑制して違和感なく掃除作業をすることが可能となる。また、遮光部が成形品の場合は体積を減らせたり、折り曲げ加工品の場合は前側折り返し部４３を無くすなどにより折り曲げ箇所を減らせたりするなど、遮光部をさらに小型で安価に構成することが出来る。
【００３１】
なお、遮光部は、実施例中の補助吸込具６のように、導光板１６を採用せず光源を砲弾型ＬＥＤ３５などの別のタイプに変更するなどの別構成とした照明ユニットや、吸込具本体５に限らず補助吸込具６などに対しても、本発明の効果が得られる。
【００３２】
また、遮光部は、光が外部に透過する上部ケース７の透過面の内面もしくはこの内面に対向する透明カバーＡ２０の腕２７や反射板２１の外面を、遮光性のある塗料や油性インクなどで塗っても効果が得られる。
【産業上の利用可能性】
【００３３】
本発明は家庭用の電気掃除機の吸込具、および、業務用の電気掃除機の吸込具をはじめとして、各種の環境において利用される電気掃除機の吸込具に適用できる。
【符号の説明】
【００３４】
１  掃除機本体
２  電気掃除機用吸込具
３  ホース
４  延長管
５  吸込具本体
６  補助吸込具
７  上部ケース（ケース）
８  下部ケース（ケース）
９  バンパー
１０  回転ブラシ
１１  電動機
１２  回路基板Ａ
１３  ベルト
１４  反射境界面
１５  透過境界面
１６  導光板
１７  入射境界面
１８  チップＬＥＤ（光源）
１９  透過部
２０  透明カバーＡ
２１  反射板
２２  突起
２３  収納部
２４  通光境界面
２５  通光防止壁
２６  脚
２７  腕
２８  切り欠き
２９  上側支持部
３０  下側支持部
３１  要素嵌合凹部Ａ
３２  要素嵌合凹部Ｂ
３３  スペーサー
３４  リブ
３５  砲弾型ＬＥＤ
３６  透明カバーＢ
３７  回路基板Ｂ
３８  遮光板（遮光部）
３９  遮光壁
４０  支持壁
４１  支持遮光壁
４２  後側折り返し部
４３  前側折り返し部
４４  溝
４５  前壁
４６  上壁
４７  支持リブ
４８  １次成形部
４９  ２次成形部
５０  操作ペダル
【図１】
2018196674.tif 000003
【図２】
2018196674.tif 000004
【図３】
2018196674.tif 000005
【図４】
2018196674.tif 000006
【図５】
2018196674.tif 000007
【図６】
2018196674.tif 000008
【図７】
2018196674.tif 000009
【図８】
2018196674.tif 000010
【図９】
2018196674.tif 000011
【図１０】
2018196674.tif 000012
【図１１】
2018196674.tif 000013
【図１２】
2018196674.tif 000014
【図１３】
2018196674.tif 000015